(57)【要約】【課題】１つのレンズからの出射光で広範囲に亘ってギラギラ感を出すことができる可動役物装置を提供する。【解決手段】支持体２７に回転可能に支持された可動本体２８の内部にＬＥＤ４０を配置し、このＬＥＤ４０の前方にレンズ４１を配置すると共に、ＬＥＤ４０を包囲するように中空構造のカバー３３を可動本体２８に一体化する。レンズ４１の出射側表面には平坦部４１ａと鋸歯部４１ｂを交互に同心円状に形成し、カバー３３の内壁面にはレンズ４１を中心として放射状に延びる複数のリブ３３ａを形成する。そして、モータ２４を駆動源として支持体２７を上下動させ、その移動途中で可動本体２８を首振り動作させてカバー３３の開口端を遊技者に向けることにより、上下動する可動本体２８のカバー３３から急に眩しい光が放射されるという斬新なライティング演出を行うようにした。【選択図】図１０
2010268965.tif 000002
【特許請求の範囲】
【請求項１】
遊技盤の遊技領域に配設され、電子抽選の結果を可動態様によって遊技者に示唆する可動役物装置において、
モータを駆動源として移動可能な可動本体と、この可動本体の内部に配設された光源と、この光源の前方に配設されたレンズと、このレンズを包囲するように前記可動本体に一体化された中空構造のカバーとを備え、
前記レンズの出射側表面に平坦部と鋸歯部が交互に同心円状に形成されていると共に、前記カバーの内壁面に前記レンズを中心として放射状に延びる複数のリブが形成されていることを特徴とする可動役物装置。
【請求項２】
請求項１の記載において、前記可動本体を回転可能に支持する支持体と、この支持体にスライド可能に保持されて前記可動本体に係合する作動体と、前記支持体を上下方向へ案内するガイド手段が設けられたハウジングと、前記モータの回転を前記支持体の直線移動に変換する動力変換機構とを備え、前記支持体の移動途中で前記作動体を前記ハウジングの一部に突き当ててスライド移動させることにより、前記可動本体を所定角度だけ回転動作するようにしたことを特徴とする可動役物装置。
【発明の詳細な説明】
【技術分野】
【０００１】
本発明は、弾球遊技機に備えられる可動役物装置に係り、特に、光源とレンズによるライティング演出が可能な可動役物装置に関するものである。
【背景技術】
【０００２】
パチンコ機に代表される弾球遊技機の中には、遊技盤の遊技領域に可変表示装置や始動入賞口を設け、遊技領域に向けて発射された遊技球が始動入賞口に入賞したことを契機に電子抽選を行い、その抽選結果に基づいて可変表示装置が図柄の変動表示および停止表示を行うようにした機種が存在する。電子抽選の抽選結果には当たり（当選）とハズレ（非当選）があり、抽選結果が当たりの場合には、可変表示装置に所定の特別図柄の組み合わせが表示され、通常モードから特別遊技モードへと移行する。この特別遊技モードでは、例えばアタッカーが開放動作して露呈された大入賞口に遊技球が入るので、遊技者は多くの賞球を獲得することができる。
【０００３】
このような弾球遊技機において、可動態様を変化させることができる可動体を遊技領域やその近傍の適宜位置に配置し、電子抽選で当選していることを可動体の可動態様によって示唆または報知するようにした可動役物装置が広く採用されている。かかる可動役物装置は、モータやソレノイド等を駆動源として種々の運動を行う可動体を備えており、従来より、遊技盤の上部位置に配設した横長形状の可動体に複数のＬＥＤとレンズを設け、この可動体を水平軸を中心に上下方向へ回転駆動することにより、レンズから出射されるＬＥＤの光を遊技者の視界に入れてまぶしさを演出するようにした可動役物装置が知られている（例えば、特許文献１参照）。
【先行技術文献】
【特許文献】
【０００４】
【特許文献１】特開２００８−２２８８０１号公報
【発明の概要】
【発明が解決しようとする課題】
【０００５】
ところで、特許文献１に開示された可動役物装置においては、可動体に内蔵されたＬＥＤの前方に凸レンズ形状のレンズを配置し、かかるレンズを用いてＬＥＤの光をスポットライトのように集光して出射するようになっているため、光の出射方向がレンズの光軸方向に限定されてしまい、一定位置に保持された１つのレンズからの出射光だけでは、目線位置に個人差のある遊技者に対して確実なライティング演出を行えなくなる虞がある。そこで、上記の従来技術では、横長形状の可動体に複数のレンズを横一列に配置して出射光を左右方向に広げると共に、モータによって可動体を回転駆動して出射光を上下方向にも広げるようにしているが、それに伴って可動体を横方向に大型化せざるを得ないため、可動体の設置場所の自由度が著しく制約されるという問題があり、可動体の駆動機構が複雑になるという問題もあった。
【０００６】
本発明は、このような従来技術の実情に鑑みてなされたもので、その目的は、１つのレンズからの出射光で広範囲に亘ってギラギラ感を出すことができる可動役物装置を提供することにある。
【課題を解決するための手段】
【０００７】
上記の目的を達成するために、本発明は、遊技盤の遊技領域に配設され、電子抽選の結果を可動態様によって遊技者に示唆する可動役物装置において、モータを駆動源として移動可能な可動本体と、この可動本体の内部に配設された光源と、この光源の前方に配設されたレンズと、このレンズを包囲するように前記可動本体に一体化された中空構造のカバーとを備え、前記レンズの出射側表面に平坦部と鋸歯部が交互に同心円状に形成されていると共に、前記カバーの内壁面に前記レンズを中心として放射状に延びる複数のリブが形成されているように構成した。
【０００８】
このように構成された可動役物装置では、光源の前方に配設されたレンズの出射側表面に平坦部と鋸歯部が交互に同心円状に形成されているため、レンズに平坦部による光の直進性と鋸歯部による光の拡散性とを併せ持たせることができると共に、レンズを包囲するように配設されたカバーの内壁面に放射状に延びる複数のリブが形成されているため、レンズから出射された拡散光がリブで反射して明暗のコントラストをつけることができる。これにより遊技者は、カバーの開口端で明るく光る拡散光と光源からの直進光とを同時に目にすることになり、１つのレンズからの出射光で広範囲に亘ってギラギラ感を出すことができる。
【０００９】
上記の構成において、前記可動本体を回転可能に支持する支持体と、この支持体にスライド可能に保持されて前記可動本体に係合する作動体と、前記支持体を上下方向へ案内するガイド手段が設けられたハウジングと、前記モータの回転を前記支持体の直線移動に変換する動力変換機構とを備え、前記支持体の移動途中で前記作動体を前記ハウジングの一部に突き当ててスライド移動させることにより、前記可動本体を所定角度だけ回転動作するように構成すると、可動本体の上下動作中に回転動作（首振り動作）することで光の出射方向を急変させることができるため、例えばカバーの開口が側方を向いた状態で可動本体を上下動させ、その途中で可動本体を首振り動作してカバーの開口を遊技者に向けることにより、上下動する可動本体から急に眩しい光が放射されるという斬新なライティング演出を行うことができて好ましい。
【発明の効果】
【００１０】
本発明の可動役物装置は、可動本体に内蔵された光源の前方に位置するレンズの出射側表面に平坦部と鋸歯部が交互に同心円状に形成されているため、レンズに平坦部による光の直進性と鋸歯部による光の拡散性とを併せ持たせることができ、しかも、レンズを包囲するように配設されたカバーの内壁面に放射状に延びる複数のリブが形成されているため、レンズから出射された拡散光がリブで反射して明暗のコントラストをつけることができる。したがって、遊技者はカバーの開口端で明るく光る拡散光と光源からの直進光とを同時に目にすることになり、１つのレンズからの出射光で広範囲に亘ってギラギラ感を出すことができる。
【図面の簡単な説明】
【００１１】
【図１】パチンコ機の外観を示す斜視図である。
【図２】図１のパチンコ機に備えられる遊技盤の正面図である。
【図３】本発明の実施形態例に係る可動役物装置が動作状態にあるときの該遊技盤の正面図である。
【図４】該可動役物装置の斜視図である。
【図５】該可動役物装置の正面図である。
【図６】該可動役物装置の底面図である。
【図７】該可動役物装置の背面図である。
【図８】該可動役物装置の平面図である。
【図９】該可動役物装置の側面図である。
【図１０】図５のＡ−Ａ線に沿う断面図である。
【図１１】該可動役物装置に備えられるレンズの斜視図である。
【図１２】該レンズの断面図である。
【図１３】該可動役物装置に備えられる可動本体が待機位置から動作位置へ移動する途中状態を示す正面図である。
【図１４】図１３に対応する背面図である。
【図１５】該可動本体が動作位置へ移動した状態を示す正面図である。
【図１６】図１５に対応する背面図である。
【発明を実施するための形態】
【００１２】
発明の実施の形態について図面を参照して説明すると、図１に示すように、本発明の可動役物装置が適用されたパチンコ機Ｐは、遊技場の島設備に配置される機枠１と、機枠１に扉状に開閉自在に取り付けられた前面枠２と、前面枠２に収納保持された後述する遊技盤３と、前面枠２の前面に扉状に開閉自在に取り付けられたガラス扉４と、前面枠２の下方に配設された前面ボード５と、前面ボード５に取り付けられた発射ハンドル６等を具備しており、前面ボード５には受け皿７が設けられている。
【００１３】
図２と図３に示すように、遊技盤３の盤面はガイドレール８等で囲まれた遊技領域９となっており、発射ハンドル６が遊技者によって任意角度に回転操作されると、図示せぬ発射装置が受け皿７に貯留された遊技球を遊技領域９に向けて連続的に打ち出すようになっている。遊技領域９の上部中央付近には中央役物ユニット１０が配設されており、この中央役物ユニット１０は、中央部に開口１１を有する枠状の装飾ケース１２と、装飾ケース１２の右側部に配置された後述する可動役物装置１３とを具備している。また、中央役物ユニット１０の裏面には液晶パネル（ＬＣＤ）からなる可変表示装置１４が配設されており、この可変表示装置１４の表示画面１４ａは装飾ケース１２の開口１１から露出している。
【００１４】
装飾ケース１２には、上側ステージ１５ａと下側ステージ１５ｂとで構成される二段ステージ１５が設けられている。上側ステージ１５ａは開口１１の下辺に沿って左右方向に延びており、その中央部には下側ステージ１５ｂに通じる透孔（図示せず）が形成されている。下側ステージ１５ｂは上側ステージ１５ａの下面に沿って左右方向に延びており、その中央部には溝１５ｃが形成されている。また、装飾ケース１２の左側壁には中空構造のワープ通路１２ａが形成されており、このワープ通路１２ａの入口は遊技領域９に開口していると共に、ワープ通路１２ａの出口は上側ステージ１５ａの左上部に開口している。したがって、中央役物ユニット１０の左側の遊技領域９を流下する遊技球がワープ通路１２ａに入球すると、その遊技球はワープ通路１２ａの内部を通って上側ステージ１５ａに排出された後、上側ステージ１５ａ上を転動して前記透孔から下側ステージ１５ｂへと誘導される。
【００１５】
二段ステージ１５の溝１５ｃの真下位置には第１の始動入賞口１６と第２の始動入賞口１７が上下に配設されており、下側ステージ１５ｂ上を転動して溝１５ｃから落下した遊技球は高い確率で第１の始動入賞口１６へ導かれるようになっている。ここで、第１の始動入賞口１６は上面に入賞孔が開口された単純構造の始動入賞口であるが、第２の始動入賞口１７は一対の可動片を有する電動チューリップ構造の始動入賞口となっている。そして、第１および第２の始動入賞口１６，１７のいずれか一方に遊技球が入賞すると、それを契機として特別図柄表示の電子抽選が行われ、可変表示装置１４の表示画面１４ａ上で図柄の変動表示と停止表示が行われる。また、中央役物ユニット１０の左側には通過チャッカー１８が配設されており、この通過チャッカー１８を遊技球が通過したことを契機に普通図柄表示の電子抽選が行われ、その抽選結果が当たりの場合に第２の始動入賞口１７の可動片を一時的に開放して遊技球の入球を許可するようになっている。
【００１６】
さらに、第２の始動入賞口１７の真下位置にはアタッカー１９が配設されており、このアタッカー１９によって図示せぬ大入賞口が覆われている。アタッカー１９は、第１および第２の始動入賞口１６，１７のいずれか一方に遊技球が入賞することを契機に行われる特別図柄表示の電子抽選の結果、当たりとなって大当たり遊技状態（特別遊技モード）に移行した場合に作動される装置である。具体的には、特別図柄表示の抽選結果が当たりの場合、可変表示装置１４の表示画面１４ａ上で図柄の変動表示を例えば「７７７」のように特定図柄で停止させると共に、アタッカー１９が複数回繰り返し開放動作して大入賞口を露呈させる。アタッカー１９は１回の開放動作について例えば３０秒通過するまで、あるいは遊技球が大入賞口に例えば１０個入球するまで開放状態を維持し、かかる開放動作を例えば１５回繰り返した後に大当たりが終了する。その他、遊技領域９には遊技球の払い出しのみを行う複数の一般入賞口２０が配設されており、いずれの始動入賞口１６，１７や一般入賞口２０にも入賞しなかった遊技球は、遊技領域９の最下端部に設けられたアウト口２１から遊技盤３の裏面側に排出されるようになっている。
【００１７】
図４〜図１０に示すように、本発明の実施形態例に係る可動役物装置１３は、装飾ケース１２の右側部裏面に配設された金属板製のブラケット２２と、ブラケット２２の前面を覆う合成樹脂製の保持ケース２３と、ブラケット２２の前面下端部に取り付けられたモータ２４と、ブラケット２２の裏面下端部に軸支された歯車列２５と、ブラケット２２の裏面に取り付けられた一対のガイドレール２６と、これらガイドレール２６に上下動可能に保持された支持体２７と、支持体２７の上部先端に回転可能に支持された可動本体２８と、支持体２７と可動本体２８との間に介設された作動体２９等によって主として構成されている。
【００１８】
ブラケット２２は装飾ケース１２の裏面にネジ止めにより固着されており、ブラケット２２と保持ケース２３はネジ止めにより一体化されてハウジング３０を構成している。この保持ケース２３の左側面の中央付近には傾斜部２３ａが形成されており、保持ケース２３の前面下端部には中継基板４２が取り付けられている。
【００１９】
モータ２４は減速ギアユニット３１に積層・一体化されており、この減速ギアユニット３１の出力軸はブラケット２２を貫通して歯車列２５の最初段の歯車に固着されている。また、歯車列２５の最終段の歯車は支持体２７に形成されたラック２７ａと噛合しており、このラック２７ａはガイドレール２６の軸線に沿って上下方向に延びている。したがって、モータ２４が正逆いずれかの方向に回転すると、支持体２７がガイドレール２６に案内されて上下方向（矢印Ｙ１−Ｙ２方向）へ移動し、これら歯車列２５とラック２７ａによってモータ２４の回転を支持体２７の直線的な上下運動に変換する動力変換機構が構成されている。
【００２０】
支持体２７の上端部には平面視くの字状のアーム部２７ｂが一体形成されており、このアーム部２７ｂはブラケット２２の側面から左方へ突出している。アーム部２７ｂの下面には受板３２がネジ止めされており、図１０に示すように、この受板３２の上面には２本のガイドピン３２ａが所定間隔を存して突設されている。作動体２９はアーム部２７ｂの下面と受板３２との間にスライド可能に配置されており、受板３２の両ガイドピン３２ａが作動体２９に形成された長孔２９ａに係合することにより、作動体２９は図１０の矢印Ｘ１−Ｘ２方向へ移動可能となっている。また、作動体２９の矢印Ｘ１側の端部には係合ピン２９ｂが形成され、作動体２９の矢印Ｘ２側の端部には駆動ピン２９ｃが形成されている。係合ピン２９ｂは保持ケース２３に向かって前方へ突出しており、支持体２７が下方へ向かって移動するときに、係合ピン２９ｂが保持ケース２３の傾斜部２３ａに当接して上から下へ摺動することにより、作動体２９は図１０の矢印Ｘ１からＸ２方向へ向かってスライド移動する。
【００２１】
可動本体２８は二つ割り形状の前面側可動部２８ａと背面側可動部２８ｂとを有しており、これら前面側可動部２８ａと背面側可動部２８ｂはネジ止めにより一体化されている。前面側可動部２８ａと背面側可動部２８ｂはいずれも合成樹脂の成形品であり、前面側可動部２８ａの先端部には中空構造のカバー３３が一体形成されている。これら可動本体２８とカバー３３は映写機を模した役物であり、可動本体２８の後端部は支持体２７のアーム部２７ｂに支軸３４を介して回転可能に連結されている。この支軸３４には捻りコイルばね３５が巻装されており、捻りコイルばね３５の一方の腕部３５ａを前面側可動部２８ａに掛止めすると共に、他方の腕部３５ｂをアーム部２７ｂに掛止めすることにより、可動本体２８は支軸３４を中心に図１０の時計回り方向へ弾性付勢されている。なお、詳細な説明は後述するが、背面側可動部２８ｂの後端部が作動体２９の駆動ピン２９ｃに当接することにより、つまり作動体２９のスライド位置に応じて、可動本体２８の回転角度は初期位置と動作位置間の所定範囲内（図１０の矢印θ）に規定されている。
【００２２】
可動本体２８の内部には第１の回路基板３６と第２の回路基板３７が互いに直交する姿勢で配設されている。第１の回路基板３６には複数のＬＥＤ３８と回路素子およびコネクタが実装されており、この第１の回路基板３６は図示せぬフラットケーブルを介して前述した中継基板４２に接続されている。第１の回路基板３６と前面側可動部２８ａとの間には導光体３９が挟持・固定されており、この導光体３９には複数の突部３９ａが形成されている。これら突部３９ａは前面側可動部２８ａの透孔に挿入されており、ＬＥＤ３８が点灯動作されると、その光は各突部３９ａから前面側可動部２８ａの前方へ出射される。一方、第２の回路基板３７には光源としてのＬＥＤ４０やコネクタが実装されており、これら第１の回路基板３６と第２の回路基板３７は図示せぬワイヤーハーネスを介してコネクタ接続されている。なお、前述したモータ２４と中継基板４２は遊技盤３の裏面側に設けられた制御基板（図示せず）とワイヤーハーネスを介して接続されており、この制御基板の制御信号に基づいて第１および第２の回路基板３６，３７上のＬＥＤ３８，４０が点灯動作されると共に、モータ２４の回転方向と回転量が制御されるようになっている。
【００２３】
また、可動本体２８の内部にはレンズ４１が配設されており、このレンズ４１はＬＥＤ４０の前方に位置している。レンズ４１の表面はカバー３３の底部に露出しており、カバー３３はレンズ４１を包囲するように配設されている。このカバー３３は先端部を開口した中空構造となっており、その外観形状は底部から先端部に向かって拡がる四角錐台となっている。図９と図１０に示すように、カバー３３の４つの内側面には複数のリブ３３ａが所定間隔を存して突出形成されており、これらリブ３３ａはレンズ４１を中心として放射状に延びている。なお、カバー３３の各内側面と底面には光拡散処理として例えば銀色の塗料が塗布されている。
【００２４】
図１１と図１２に示すように、レンズ４１は円椀状に膨出する外観形状を呈し、その肉厚は中心部から外周部に向かって次第に厚くなっている。このレンズ４１の出射側表面には複数の平坦部４１ａと鋸歯部４１ｂが交互に同心円状に形成されており、ＬＥＤ４０が点灯動作されると、その光はこれら平坦部４１ａと鋸歯部４１ｂを通過してカバー３３の内部に出射される。その際、図１２の実線で示すように、ＬＥＤ４０の光の一部は平坦部４１ａを通過して直進し、そのままカバー３３の開口端から外方へ出射される。また、図１２の一点鎖線で示すように、鋸歯部４１ｂに向かうＬＥＤ４０の光のうち、あるものは鋸歯部４１ｂで屈折してそのままカバー３３の内側面に向かって出射され、あるものはレンズ４１の内部で乱反射を繰り返した後、鋸歯部４１ｂからカバー３３の内側面に向かって出射される。そして、このようにレンズ４１から出射された拡散光のうち、一部はカバー３３の各内側面に形成されたリブ３３ａで反射し、残部はリブ３３ａの存しない内側面で反射するため、両者の反射率の違いによってカバー３３の内側面に明暗のコントラストをつけることができる。
【００２５】
次に、このように構成された可動役物装置１３の動作を図１３〜図１７を参照しつつ説明する。
【００２６】
本実施形態例に係る可動役物装置１３において、通常、可動本体２８は図４〜図９に示すホームポジションにあり、このホームポジションを初期位置と呼ぶと、図２に示すように、初期位置で可動本体２８は可変表示装置１４の表示画面１４ａの上端右隅部に待機している。この場合、可動本体２８を軸支する支持体２７はガイドレール２６の上端（矢印Ｙ１方向の末端位置）まで上昇しており、可動本体２８は捻りコイルばね３５の弾発力によって図１０に示す姿勢、すなわち、前面側可動部２８ａをガラス扉４に正対させると共にカバー３３の開口端を左側方に向けた姿勢に保持されている。なお、かかる状態で第１の回路基板３６上のＬＥＤ３８を点灯動作すると、ＬＥＤ３８の光が導光体３９の各突部３９ａから前面側可動部２８ａの前方へ出射されるため、例えばロングリーチ時に各突部３９ａからガラス扉４に向けて光を出射することにより、通常よりも大当たりの可能性が高いことを遊技者に示唆させることができる。
【００２７】
このように可動本体２８が初期位置にあるときにモータ２４を一方向へ回転すると、モータ２４の回転が減速ギアユニット３１を介して歯車列２５に伝達されるため、歯車列２５の最終段歯車に噛合するラック２７ａが直線的に移動し、それに伴って支持体２７がガイドレール２６の軸線方向に沿って下方へ移動し始める。ここで、支持体２７が矢印Ｙ１方向の最上端位置からＹ２方向へ下降する初期段階において、可動本体２８は前面側可動部２８ａをガラス扉４に正対させた姿勢を維持したまま支持体２７と一緒に下降するが、支持体２７が所定量だけ下降すると、図１３と図１４に示すように、作動体２９の係合ピン２９ｂが保持ケース２３の傾斜部２３ａに当接しながら下降するため、作動体２９が図１０の矢印Ｘ１方向の末端位置からＸ２方向へ向かってスライド移動し始める。これにより、作動体２９の駆動ピン２９ｃが背面側可動部２８ｂの後端部を押圧するため、可動本体２８が捻りコイルばね３５の弾発力に抗して図１０の初期位置から反時計回りに回転し始め、図１５と図１６に示すように、支持体２７が矢印Ｙ２方向の最下端位置まで移動して係合ピン２９ｂが傾斜部２３ａを乗り越えると、作動体２９が矢印Ｘ２方向の末端位置まで移動して可動本体２８を動作位置まで回転させる。
【００２８】
すなわち、初期位置において表示画面１４ａの上端右隅部に待機していた可動本体２８は、前面側可動部２８ａをガラス扉４に正対させた姿勢を維持したまま図２の矢印Ｙ２方向へ所定量だけ下降した後、カバー３３を含む全体が手前側へ回転するという首振り動作を伴いながら図３に示す最下端位置まで下降し、当該位置でカバー３３の開口端がガラス扉４と右斜め後方から対向する姿勢になる。したがって、かかる可動本体２８の下降動作中に第２の回路基板３７上のＬＥＤ４０を点灯しておけば、カバー３３の開口端が左側方を向いた状態で可動本体２８を下降させ、その途中で可動本体２８を首振り動作してカバー３３の開口端を遊技者に向けることにより、下降する可動本体２８のカバー３３から急に眩しい光が放射されるという斬新なライティング演出を行うことができる。
【００２９】
ここで、本実施形態例に係る可動役物装置１３では、ＬＥＤ４０の前方に配置されたレンズ４１の出射側表面に平坦部４１ａと鋸歯部４１ｂが交互に同心円状に形成されているため、平坦部４１ａによる光の直進性と鋸歯部４１ｂによる光の拡散性とを併せ持たせることができると共に、カバー３３の各内壁面に放射状に延びる複数のリブ３３ａが形成されているため、レンズ４１から出射されたＬＥＤ４０の拡散光がリブ３３ａで反射して明暗のコントラストをつけることができる。これにより遊技者は、カバー３３の開口端で明るく光る拡散光とＬＥＤ４０からの直進光とを同時に目にすることになり、１つのレンズ４１からの出射光で広範囲に亘ってギラギラ感を出すことができる。これにより、例えばスーパーリーチ時に可動役物装置１３を動作させると、可動本体２８の下降しながら回転するという可動態様とカバー３３からの照射光によるライティング演出との双方によって、大当たりの可能性が非常に高いことを遊技者に示唆させることができる。
【００３０】
なお、可動本体２８が図３に示す最下端位置にあるとき、モータ２４を他方向へ回転すると、上記と逆の動作が行われる。この場合、支持体２７が矢印Ｙ２方向の最下端位置からＹ１方向へ上昇する初期段階において、作動体２９の係合ピン２９ｂが保持ケース２３の傾斜部２３ａを下から上へ摺動し、この間で可動本体２８が捻りコイルばね３５の弾発力によって動作位置から初期位置へ回転復帰する。その後、支持体２７が矢印Ｙ１方向の最上端位置まで上昇する間、可動本体２８は前面側可動部２８ａをガラス扉４に正対させた姿勢を維持したまま支持体２７と一緒に上昇し、最終的には図２に示す初期位置（ホームポジション）に戻る。
【００３１】
なお、上記実施形態例では、ブラケット２２に一対のガイドレール２６を所定間隔を存して互いに平行に固定し、これら両ガイドレール２６によって支持体２７を上下方向へ案内しているが、例えば一方のガイドレール２６の代わりに凹凸嵌合を用いる等、支持体２７のガイド手段として他の構成を用いることも可能である。
【００３２】
また、上記実施形態例では、ブラケット２２と保持ケース２３を一体化することでハウジング３０を構成し、この保持ケース２３に形成した傾斜部２３ａによって作動体２９をスライド移動させるようにしているが、かかる傾斜部を保持ケース２３の代わりにブラケット２２に形成しても良く、あるいはハウジングを一つの部材で構成し、その部材に傾斜部を形成することも可能である。
【符号の説明】
【００３３】
３  遊技盤
４  ガラス扉
９  遊技領域
１０  中央役物ユニット
１２  装飾ケース
１３  可動役物装置
１４  可変表示装置
１４ａ  表示画面
２２  ブラケット
２３  保持ケース
２３ａ  傾斜部
２４  モータ
２５  歯車列
２６  ガイドレール
２７  支持体
２７ａ  ラック
２７ｂ  アーム部
２８  可動本体
２８ａ  前面側可動部
２８ｂ  背面側可動部
２９  作動体
２９ａ  長孔
２９ｂ  係合ピン
２９ｃ  駆動ピン
３０  ハウジング
３１  減速ギアユニット
３２  受板
３２ａ  ガイドピン
３３  カバー
３３ａ  リブ
３４  支軸
３５  捻りコイルばね
３６  第１の回路基板
３７  第２の回路基板
３８  ＬＥＤ
３９  導光体
４０  ＬＥＤ（光源）
４１  レンズ
４１ａ  平坦部
４１ｂ  鋸歯部
【図１】
2010268965.tif 000003
【図２】
2010268965.tif 000004
【図３】
2010268965.tif 000005
【図４】
2010268965.tif 000006
【図５】
2010268965.tif 000007
【図６】
2010268965.tif 000008
【図７】
2010268965.tif 000009
【図８】
2010268965.tif 000010
【図９】
2010268965.tif 000011
【図１０】
2010268965.tif 000012
【図１１】
2010268965.tif 000013
【図１２】
2010268965.tif 000014
【図１３】
2010268965.tif 000015
【図１４】
2010268965.tif 000016
【図１５】
2010268965.tif 000017
【図１６】
2010268965.tif 000018